(57)【要約】【課題】ペルチエ素子冷却器の保冷材を簡便に構成する。【解決手段】ペルチエ素子冷却器の冷却容器の周囲に空間を設けて型を固定し、該空間に発泡性の充填材を流し込み、天井部に蓋をして制限された空間で該充填材を発泡固着させる。発泡材の固着後に型を取りはずす。予め、型の内側に保護板を当てておけば、発泡材の外周は該保護板で覆われるので、該保護板に化粧的要素を持たせておけば美観を損なうこともない。型の代わりに箱を用いて箱と前記容器の間の空間に前記充填材を注入してもよい。そうすれば型を取り外す手間を省略できる。前記空間の広さを自由に選択することにより保冷効果を自由に設定できる。【選択図】　　　　　　　　図５
2004012118.tif 000002
【特許請求の範囲】
【請求項１】
ペルチエ素子の放熱側に放熱フィンと放熱ファンを取り付け、冷却側に冷却容器を取り付けたペルチエ素子冷却器において、ペルチエ素子に直流駆動電流を供給して放熱フィンと放熱ファンにより放熱側から熱を大気中に放出し、一方、冷却側では冷却容器に対象ガスを流してこれを冷却するペルチエ素子冷却器に関し、前記冷却容器の周囲に空間を設けて型を組み付け、該容器と該型の間の空間に発泡性の充填材を流し込み、該充填材の膨張と固化により該容器と該型の間の空間を発泡性の充填材で埋め、該充填材が固化した後は前記型を取り除き、もって前記冷却容器の周囲を該充填材で覆い、該充填材の有する断熱効果を利用してこれを保冷材として用いることを特徴とするペルチエ素子冷却器の保冷法。
【請求項２】
請求項１記載のペルチエ素子冷却器において、請求項１記載の冷却容器の周囲に空間を設けて箱を組み付け、該容器と該箱の間の空間に発泡性の充填材を流し込み、該充填材の膨張と固化により該容器と該箱の間の空間を発泡性の充填材で埋め、該充填材が固化した後は前記箱を取り除くか、または、該箱を該充填材の外周を覆うようにそのままの状態で残し、もって前記冷却容器の周囲を該充填材で覆い、該充填材の有する断熱効果を利用してこれを保冷材として用いることを特徴とするペルチエ素子冷却器の保冷法。
【発明の詳細な説明】
【０００１】
【産業上の利用分野】本発明は、ペルチエ素子を利用した冷却装置、特に、ペルチエ素子の冷却側に冷却容器を取り付けて、該容器に対象ガスを流してこれを冷却するペルチエ素子冷却器に関する。
【０００２】
【従来の技術】従来の前記冷却装置では、冷却容器の外側にゴムスポンジなどの断熱材を貼り付けて該容器の保冷を行なっていた。
【０００３】
【発明が解決しようとする課題】しかし、この方法では断熱材を冷却容器の形状に合わせてカットするのに時間を要したり、冷却容器の表面に凹凸がある場合に該容器と断熱材の密着度が悪くなったり、さらには断熱材同士の接続部に隙間が生じて断熱効果が悪化するなどの欠点があった。
【０００４】
【課題を解決するための手段および作用】請求項１または請求項２に記載の冷却容器の保冷法によれば、断熱材を冷却容器の形状に合わせてカットする必要がなく、また、冷却容器の表面に凹凸がある場合でも該容器と断熱材の密着度を損なうことなく断熱材を容器の周囲に取り付けることができる上、断熱材が一体となって固化するため、断熱材間の隙間についても考慮を払う必要がなくなる。
【０００５】防音や保温のために建物の隙間を埋めたり、梱包時に梱包材と荷物の間の隙間を埋めたり、保温や保冷のために容器の外周を埋めたりするために発泡性の隙間充填材が使用されている。
【０００６】このような発泡性の充填材は内部に多くの気泡を有しているため熱伝導率が低く、そのため断熱効果が高く、保温材や保冷材として有用である。
【０００７】しかも、使用時には隙間に注入するだけで短時間に自己膨張し、隙間の形状に合わせて固化するので利用方法が非常に簡単である。
【０００８】本発明では、そのような自己膨張性隙間充填材をペルチエ素子を利用した冷却器の保冷に利用する。
【０００９】ペルチエ素子冷却器では、ペルチエ素子の放熱側に冷却フィンと冷却ファンを備え、冷却フィンと冷却ファンの効果によりペルチエ素子から伝わる熱を大気中に放出し、一方、冷却側には冷却容器を備えて、該容器の内部に対象ガスを通過させることにより該ガスを冷却する。
【００１０】この際、冷却容器の表面温度は概して大気温度よりも低く、該容器が露出した状態のままでは容器表面に結露が生じたり、容器表面から大気中に冷気が散逸して冷却効率が低下したりするなどの悪影響が表れる。
【００１１】それを防止するため、前記容器の表面を保冷材で覆う必要がある。しかし、普通考えられるように、ゴムスポンジなどの断熱材で前記容器の表面を覆うと、ゴムスポンジを容器の外周の形状に合わせてカットする手間が必要になる上、前記ゴムスポンジと前記容器の外周とを完全に密着させることが難しく、さらにゴムスポンジ同士についても完全な密着が困難で隙間が生じ易いなどの問題がある。
【００１２】請求項１または請求項２に記載の冷却容器の保冷法では、このような問題を前記自己膨張性隙間充填材を利用することにより解決する。
【００１３】この種の充填材は短時間に膨張する上、膨張し固化した後はその形状を維持する。そのため、請求項１では充填材の使用の前に、冷却容器の外周の形状に合わせて空間を設けて型を該容器の外周に固定する。
【００１４】型は、着脱が容易なように左右分割式とし、充填材が固化した後で左右にはずせる構造とする。型の天井部は、充填材の使用直後の充填材が膨張・固化する前に型の左右構造部に固定してもよいし、充填材の使用前に型の左右構造部に固定しておいて、型の一部に設けた小穴から充填材を注入してもよい。
【００１５】さらに、充填材は固化する際に周りの接触部分と固着するため、充填材を流し込む前に予め型の内面の充填材と接触する部分に薄い板状の保護板を当てておく。これにより、型と充填材との固着を防止することができるので型を取り外す際に充填材と型との離脱が容易になる。
【００１６】さらに、型を取り外した後では充填材の外側を前記保護板が覆うことになるので充填材が外部に露出することなく、該保護板に化粧的な要素を加味すれば美観を損なうことも防止できる。
【００１７】請求項２では充填材の使用の前に、冷却容器の外周の形状に合わせて空間を設けて箱を該容器の外周に固定する。箱の天井部は、初めから箱の他の部分と一体構造に構成しておき、箱の一部に設けた小穴から充填材を注入してもよいし、充填材の使用直後の充填材が膨張・固化する前に箱の他の部分に固定してもよい。
【００１８】充填材は固化する際に周りの接触部分と固着するため、箱の内面は充填材と固着し、構造面での強度が補強される。さらに、箱の外面に化粧的な要素を加味すれば美観を損なうことも防止できる。
【００１９】前記冷却容器と前記型または箱との間の空間の大きさは任意に選定できるので保冷材の厚さを任意に選定でき、それによって保冷効果を任意に設定できる。
【発明の実施の形態】
【００２０】図１はペルチエ素子冷却フィン、冷却ファン、冷却容器からなる、保冷材を取りつける前のペルチエ素子冷却器である。
【００２１】図２は保冷材として用いる発泡性充填材の形状を固定するために使用する左方の型である。また、図３は同じく右方に用いる型である。
【００２２】図４は前記ペルチエ素子冷却器に対して、前記型を左右から取り付けたところである。充填材を流し込む前に９に示すように側面および底に保護板を取り付けておく。
【００２３】この状態で充填空間１０に充填材を流し込む。充填材は膨張性のため、しばらくすると充填空間から外側に溢れ出す。それを防止するため、充填空間の天井部に保護板を介して丈夫な構造の蓋を固定する。天井部の保護板と蓋には、ペルチエ素子冷却器を冷却に使用するときの対象ガスの流入口と流出口が外部に通じるように貫通穴が設けてある。図４では説明の都合上天井部の保護板と蓋は省略している。
【００２４】充填材が膨張・固化した後、前記型を上方と左右に分割し、これらをペルチエ素子冷却器から離脱する。図５に該型を離脱した後の外観を示す。充填材は周囲と固着するので充填材の外周は保護板で覆われ、該保護板に化粧的な要素を持たせれば美観を損なうこともない。
【００２５】充填材の厚みは型のサイズにより自由に選択できるので、断熱効果についても自由に設定できる。
【００２６】型の代わりに箱を用いる場合は、箱を取り付けた状態で既に図５の外観をなす。この図では天井部は充填材の使用前に取り付けられているので、箱の一部に設けた小穴（省略）から充填材を注入する。
【００２７】
【発明の効果】請求項１または請求項２に記載の冷却容器の保冷法によれば、ペルチエ素子冷却器に用いる冷却容器の形状が複雑であっても断熱材を冷却容器の形状に合わせてカットする必要がなく、また、冷却容器の表面に凹凸がある場合でも該容器と断熱材の密着度を損なうことなく断熱材を容器の周囲に取り付けることができる上、断熱材が一体となって固化するため、断熱材間の隙間についても考慮を払う必要がなくなる。
【００２７】また、請求項１の保冷法の場合、型の内側に予め保護板を当てておけば、充填材の外側が該保護板により覆われることになるので、該保護板に化粧的な要素を持たせておけば美観を損なうこともなくなる。
【００２８】また、請求項２の保冷法の場合、箱の外面に化粧的な要素を持たせておけば美観を損なうこともなくなる。
【００２９】さらに、充填材の厚みは型や箱のサイズにより自由に選択できるので、断熱効果についても自由に設定できる。
【図面の簡単な説明】
【図１】ペルチエ素子の放熱側に冷却フィンと冷却ファン、冷却側に冷却容器を取り付けた図である。
【図２】充填材の外形を固定するために冷却容器の左側に固定する型の図である。
【図３】充填材の外形を固定するために冷却容器の右側に固定する型の図である。
【図４】ペルチエ素子冷却器の冷却容器の外周部に型を左右から固定した図である。
【図５】冷却容器の周囲に充填材を取り付け、さらにその外面を保護板または箱で覆うことにより冷却容器の保冷を実施した図である。
【符号の説明】
１　冷却容器　　　　２　対象ガス流出口　　３　対象ガス流入口
４　ペルチエ素子　　５　冷却ファン　　　　６　冷却フィン
７　左方の型　　　　８　右方の型　　　　９　保護板　　　　１０　充填空間１１　型の上方の合わせ目　　　　１２　型の下方の合わせ目
１３　保護板または箱
【図１】
2004012118.tif 000003
【図２】
2004012118.tif 000004
【図３】
2004012118.tif 000005
【図４】
2004012118.tif 000006
【図５】
2004012118.tif 000007